(57)【要約】【課題】角度検出器及びモータや、リンク機構を要することなく、走行時と作業時の照明を確保することができるとともに、照明に際してのエネルギー消費を少なく抑えることができる建設機械の提供。【解決手段】本発明は、走行体１と、この走行体１上に配置され操縦席２Ａ１が配置された運転室２Ａを有する旋回体２と、この旋回体２に取り付けられ、ブーム４等を有する作業装置３とを備えたミニショベルにあって、作業装置３に含まれるブーム４の側面４ａに固定され、走行時の走行方向に対する照明を可能にする第１電球１１ａと、この第１電球１１ａによる照射方向とは異なる照射方向となるように設定され、作業装置３による作業時の照明を可能にする第２電球１１ｂとを有する構成にしてある。また本発明は、第１電球１１ａと第２電球１１ｂを選択的に点灯させるスイッチ回路を備えている。【選択図】図６
2012219434.tif 000002
【特許請求の範囲】
【請求項１】
走行体と、この走行体の上に配置され操縦席を有する本体と、この本体に取り付けられる作業装置と、この作業装置の側面に取り付けられる照明装置とを備えた建設機械において、
上記照明装置は、上記作業装置の側面に固定され、走行時の走行方向に対する照明を可能にする第１電球と、この第１電球による照射方向とは異なる照射方向となるように設定され、上記作業装置による作業時の照明を可能にする第２電球とを有することを特徴とする建設機械。
【請求項２】
請求項１に記載の建設機械において、
上記第１電球及び上記第２電球を選択的に点灯させるスイッチ回路を備えたことを特徴とする建設機械。
【請求項３】
請求項２に記載の建設機械において、
上記スイッチ回路は、上記第１電球及び上記第２電球のそれぞれに接続されるハーネスと、このハーネスに接続され、上記第１電球と上記第２電球の双方の点灯、上記第１電球のみの点灯、及び上記第２電球のみの点灯を選択的に可能にするスイッチとを含むことを特徴とする建設機械。
【請求項４】
請求項３に記載の建設機械において、
上記照明装置が、上記第１電球及び上記第２電球を保持するランプハウスと、このランプハウスの前側部分に取り付けられる照明窓とを有するとともに、
上記照明装置が固定され、この照明装置の上記ランプハウスを覆い、上記作業装置の側面に固定される照明保護カバーを備えたことを特徴とする建設機械。
【請求項５】
請求項４に記載の建設機械において、
当該建設機械は、上記本体を形成する旋回体を有するミニショベルから成り、
上記作業装置は、上記旋回体に上下方向の回動可能に取り付けられ、上記照明保護カバーが固定されるブームを有することを特徴とする建設機械。
【発明の詳細な説明】
【技術分野】
【０００１】
本発明は、作業装置の側面に照明装置を備えたミニショベル等の建設機械に関する。
【背景技術】
【０００２】
この種の従来技術として特許文献１，２に示すものがある。これらの従来技術は、例えば油圧ショベルであり、これらの油圧ショベルは、走行体と、この走行体の上に配置され操縦席を有する本体、すなわち旋回体と、この旋回体に上下方向の回動可能に取り付けられ、掘削作業等が可能な作業装置とが備えられている。作業装置は、ブーム、アーム、バケット等を含んでいる。この作業装置に含まれるブームの側面には、角度検出器及びモータを介して、あるいはリンク機構を介して回動可能に作業灯が取り付けられている。これらの従来技術では、夜間作業等の作業時には、作業灯を点灯させて該当する作業が実施される。
【先行技術文献】
【特許文献】
【０００３】
【特許文献１】特開２００８−９５３３９号公報
【特許文献２】特開平１１−５４８６号公報
【発明の概要】
【発明が解決しようとする課題】
【０００４】
上述した従来技術のそれぞれは、作業時等の照明を確保する照明装置が、作業灯とともに、作業灯を回動させる角度検出器とモータ、あるいは作業灯を回動させるリンク機構を有することから、この照明装置の配置スペースが大きくなり、また照明装置の構成が複雑になりやすい。これらのことから、照明装置の取り付け作業、及び照明装置のメンテナンス作業が煩雑になりやすい。さらに走行時及び作業時のそれぞれにおいて、作業灯から同じ光量を照射させるようになっていることから、照射するエネルギー消費が多くなりやすく、経済性の点でも問題がある。
【０００５】
本発明は、上述した従来技術における実状からなされたもので、その目的は、角度検出器及びモータや、リンク機構を要することなく、走行時と作業時の照明を確保することができるとともに、照明に際してのエネルギー消費を少なく抑えることができる建設機械を提供することにある。
【課題を解決するための手段】
【０００６】
この目的を達成するために、本発明は、走行体と、この走行体の上に配置され操縦席を有する本体と、この本体に取り付けられる作業装置と、この作業装置の側面に取り付けられる照明装置とを備えた建設機械において、上記照明装置は、上記作業装置の側面に固定され、走行時の走行方向に対する照明を可能にする第１電球と、この第１電球による照射方向とは異なる照射方向となるように設定され、上記作業装置による作業時の照明を可能にする第２電球とを有することを特徴としている。
【０００７】
このように構成した本発明は、照明装置の第１電球を点灯させることにより走行時の走行方向に対する照明を確保でき、また第２電球を点灯させることにより作業装置による作業時の照明を確保することができる。すなわち、角度検出器及びモータや、リンク機構を要することなく、第１電球と第２電球のそれぞれを点灯させることにより、走行時と作業時の照明を確保することができる。したがって、照明装置の配置スペースを小さくすることができ、また照明装置の構成を簡単にすることができる。さらに本発明は、走行時には第１電球のみを点灯させ、作業時には第２電球のみを点灯させるようにすることができる。このように第１電球と第２電球の点灯を制御することにより、照明に要するエネルギー消費を少なく抑えることができる。すなわち本発明は、省エネルギーを実現させることが可能である。
【０００８】
また本発明は、上記発明において、上記第１電球及び上記第２電球を選択的に点灯させるスイッチ回路を備えたことを特徴としている。
【０００９】
また本発明は、上記発明において、上記スイッチ回路は、上記第１電球及び上記第２電球のそれぞれに接続されるハーネスと、このハーネスに接続され、上記第１電球と上記第２電球の双方の点灯、上記第１電球のみの点灯、及び上記第２電球のみの点灯を選択的に可能にするスイッチとを含むことを特徴としている。
【００１０】
また本発明は、上記発明において、上記照明装置が、上記第１電球及び上記第２電球を保持するランプハウスと、このランプハウスの前側部分に取り付けられる照明窓とを有するとともに、上記照明装置が固定され、この照明装置の上記ランプハウスを覆い、上記作業装置の側面に固定される照明保護カバーを備えたことを特徴としている。
【００１１】
また本発明は、上記発明において、当該建設機械は、上記本体を形成する旋回体を有するミニショベルから成り、上記作業装置は、上記旋回体に上下方向の回動可能に取り付けられ、上記照明保護カバーが固定されるブームを有することを特徴としている。
【発明の効果】
【００１２】
本発明は、作業装置の側面に固定され、走行時の走行方向に対する照明を可能にする第１電球と、この第１電球による照射方向とは異なる照射方向となるように設定され、作業装置による作業時の照明を可能にする第２電球とを有する構成にしてある。この構成によって本発明は、従来技術におけるような角度検出器及びモータや、リンク機構を要することなく、走行時と作業時の照明を確保することができ、また、照明装置の構成を簡単にすることができる。これにより本発明は、照明装置の取り付け作業、及び照明装置のメンテナンス作業を従来よりも簡単に行うことができる。さらに本発明は、走行時、作業時のそれぞれに応じて第１電球と第２電球のいずれか一方のみを点灯させて走行あるいは作業を行うことができ、このような点灯制御を行うようにすれば、照明に要するエネルギー消費を従来よりも少なく抑えることができる。これにより本発明は、従来に比べて優れた経済性を確保することができる。
【図面の簡単な説明】
【００１３】
【図１】本発明に係る建設機械の一実施形態を構成するミニショベルを示す側面図である。
【図２】本実施形態に備えられる照明装置、及び照明保護カバーのブームに対する取り付け形態を示す斜視図である。
【図３】本実施形態に備えられる照明装置の要部側断面図である。
【図４】本実施形態に備えられる照明装置に接続されるハーネスを示す図である。
【図５】本実施形態に備えられる照明装置の照明保護カバーに対する取り付け形態を示す図で、（ａ）図は正面図、（ｂ）図は側面図である。
【図６】本実施形態に備えられる照明装置の電球を点灯させるスイッチ操作部を示す図である。
【図７】本実施形態に備えられるスイッチ回路を示す図である。
【図８】本実施形態に備えられる照明装置による照射範囲を示す図である。
【発明を実施するための形態】
【００１４】
以下、本発明に係る建設機械の実施の形態を図に基づいて説明する。
【００１５】
本発明に係る建設機械の第１実施形態は、例えば町中等の狭い作業環境で活用されることの多いミニショベルから成っている。このミニショベルは、図１に示すように、走行体１と、この走行体１上に配置され本体、すなわち旋回体２とを備えている。旋回体２上には操縦席を有する運転室２Ａが設けられている。また旋回体２の前側位置には作業装置３が取り付けられている。この作業装置３は、旋回体２に上下方向の回動可能に取り付けられるブーム４と、このブーム４の先端に回動可能に取り付けられるアーム５と、このアーム５の先端に回動可能に取り付けられるバケット６とを含んでいる。また作業装置３は、ブーム４を駆動するブームシリンダ７、アーム５を駆動するアームシリンダ８、バケット６を駆動するバケットシリンダ９を含んでいる。
【００１６】
また本実施形態に係るミニショベルは、図２に示すように、照明装置１１と、この照明装置１１が固定されるとともに、照明装置１１を覆う照明保護カバー１０とを備えている。照明装置１０は、例えば作業装置３のブーム４の側面４ａに設けた取り付け部４ｂに形成したねじ部に螺合可能なボルト１５によって、ブーム４の側面４ａに固定されている。すなわち照明装置１１は、ブーム４の側面４ａに照明保護カバー１０を介して固定されている。
【００１７】
図３に示すように、照明装置１１は、走行時の走行方向に対する照明を可能にする第１電球１１ａと、この第１電球１１ａによる照射方向とは異なる照射方向となるように設定され、作業装置３による作業時の照明を可能にする第２電球１１ｂと、これらの第１電球１１ａ及び第２電球１１ｂを保持するランプハウス１１ｃとを備えている。また照明装置１１は、図４に示すように、第１電球１１ａ及び第２電球１１ｂに接続されるハーネス１１ｄを備えている。上述した第１電球１１ａ及び第２電球１１ｂは、例えばハロゲンランプやＬＥＤランプなどから成っている。
【００１８】
また本実施形態は、図５の（ａ）図に示すように、照明保護カバー１０が、照明装置１１が載置される載置部１０ａを備えている。照明装置１１は、前側部分に透明体から成る照明窓１１ｅを有している。この照明装置１１は、ボルト部１１ｆ１を有する照明取り付け具１１ｆにボルト１４によって固定されており、照明取り付け具１１ｆは、ボルト部１１ｆ１に螺合するナット１１ｇによって照明保護カバー１０に固定されている。
【００１９】
本実施形態は、第１電球１１ａ及び第２電球１１ｂを選択的に点灯させるスイッチ回路を備えている。このスイッチ回路は、第１電球１１ａ及び第２電球１１ｂのそれぞれに接続される上述したハーネス１１ｄと、このハーネス１１ｄに接続され、第１電球１１ａと第２電球１１ｂの双方の点灯、第１電球１１ａのみの点灯、及び第２電球１１ｂのみの点灯を選択的に可能にするスイッチとを含んでいる。このスイッチは、図６に示すように、ハーネス１１ｄに接続されるライトＯＮ／ＯＦＦスイッチ１２と、このライトＯＮ／ＯＦＦスイッチ１２に接続されるライト切り替えスイッチ１３とを含んでいる。これらのライトＯＮ／ＯＦＦスイッチ１２及びライト切り替えスイッチ１３は、運転室２Ａ内に配置される操縦席２Ａ１の付近に配置してあり、操縦席２Ａ１に座ったオペレータによる操作が可能となっている。
【００２０】
ライト切り替えスイッチ１３は、例えば第１電球１１ａと第２電球１１ｂの双方を点灯させる切り替え位置である第１切り替え位置１３ａと、第１電球１１ａのみを点灯させる切り替え位置である第２切り替え位置１３ｂと、第２電球１１ｂのみを点灯させる切り替え位置である第３切り替え位置１３ｃとを備えている。
【００２１】
図７に示すように、ライト切り替えスイッチ１３が図６に示す第１切り替え位置１３ａに保持されると、ライト切り替えスイッチ１３の接触片１３ｄが第１端子１３ｅ及び第２端子１３ｆに接触しないように保たれる。したがって、ライトＯＮ／ＯＦＦスイッチ１２がＯＮとなると、第１電球１１ａと第２電球１１ｂのそれぞれに電源１８からの電力が供給され、これらの第１電球１１ａと第２電球１１ｂが点灯する。また、ライトＯＮ／ＯＦＦスイッチ１２がＯＮに操作された状態において、ライト切り替えスイッチ１３が図６の第２切り替え位置１３ｂに切り替えられると、図７に示すように、ライト切り替えスイッチ１３の接触片１３ｄが第１端子１３ｅに接触し、これによって第２電球１１ｂへの電力が遮断され、第１電球１１ａのみが点灯する。また、ライトＯＮ／ＯＦＦスイッチ１２がＯＮに操作された状態において、ライト切り替えスイッチ１３が図６の第３切り替え位置１３ｃに切り替えられると、図７に示すように、ライト切り替えスイッチ１３の接触片１３ｄが第２端子１３ｆに接触し、これによって第１電球１１ａへの電力が遮断され、第２電球１１ｂのみが点灯する。なお、ライトＯＮ／ＯＦＦスイッチ１２がＯＦＦに操作されたときには、ライト切り替えスイッチ１３への電力は遮断され、第１電球１１ａと第２電球１１ｂの双方が消灯した状態に保たれる。
【００２２】
このように構成した本実施形態に係るミニショベルにあっては、走行体１を走行させたり、旋回体２を旋回させながら、ブームシリンダ７、アームシリンダ８、バケットシリンダ９を選択的に作動させて、該当するブーム４、アーム５、バケット６を駆動することにより、土砂の掘削作業などの各種の作業を実施することができる。
【００２３】
また、夜間等のように作業環境が暗いときには、ライトＯＮ／ＯＦＦスイッチ１２をＯＮに操作し、ライト切り替えスイッチ１３を図６に示す第１切り替え位置１３ａに保つことにより、図８に示すように、第１電球１１ａを点灯させてこの第１電球１１ａによる照射範囲２０Ａを確保し、ブーム４の側方部分を含む前方部分を照らすことができるとともに、第２電球１１ｂを点灯させてこの第２電球１１ｂによる照射範囲２０Ｂを確保し、アーム５部分及びバケット６部分を含む掘削箇所等を照らすことができる。
【００２４】
また、掘削作業等を実施しない走行時にあっては、ライトＯＮ／ＯＦＦスイッチ１２をＯＮに操作した状態で、ライト切り替えスイッチ１３を第２切り替え位置１３ｂに切り替えればよい。これにより、図８に示す照射範囲２０Ａとほぼ同様の照射範囲が確保され、前方を照らして走行体１の走行を支障なく行うことができる。また、走行を伴わない掘削作業等にあっては、ライトＯＮ／ＯＦＦスイッチ１２をＯＮに操作した状態で、ライト切り替えスイッチ１３を第３切り替え位置１３ｃに切り替えればよい。これにより、図８に示す照射範囲２０Ｂとほぼ同様の照射範囲が確保され、掘削箇所等を照らして掘削作業等を支障なく行うことができる。
【００２５】
このように構成した本実施形態に係るミニショベルによれば、図５に示したように、ボルト部１１ｆ１に螺合するナット１１ｇによって照明保護カバー１０に締結した照明取り付け具１１ｆに、ボルト１４によって照明装置１１のライトハウス１１ｃを固定することによって、照明保護カバー１０の載置部１０ａに載置した照明装置１１を照明保護カバー１０に容易に、しかも堅固に固定することができる。また、図２に示したように、ブーム４の側面４ａに設けた取り付け部４ｂに形成したねじ穴に螺合するボルト１５によって、照明保護カバー１０をブーム４の側面４ａに容易に、しかも堅固に固定することができる。これらにより、信頼性の高い照明装置１１の取り付け構造を実現させることができる。
【００２６】
また本実施形態によれば、照明装置１１のライトハウス１１ｃを保護する照明保護カバー１０を備えたことから、雨水や塵埃等から照明装置１１を保護することができるとともに、作業装置３の掘削作業等に伴う掘削処理物等の照明装置１１への衝突、及び旋回体２の旋回に伴う当該ミニショベルの周辺に存在する障害物への照明装置１１の衝突を防ぐことができ、照明装置１１の耐久性を向上させることができる。
【００２７】
また本実施形態によれば、ランプハウス１１ｃの前側部分に照明窓１１ｅを備えていることから、雨水や塵埃等からランパハウス１１ｃに保持された第１電球１１ａ及び第１１ｂを保護することができ、これにより照明装置１１の耐久性の向上に貢献する。
【００２８】
また特に、本実施形態によれば、照明装置の第１電球１１ａを点灯させることにより走行時の走行方向に対する照明を確保でき、また第２電球１１ｂを点灯させることにより作業装置３による作業時の照明を確保することができる。すなわち、角度検出器及びモータや、リンク機構を要することなく、第１電球１１ａと第２電球１１ｂをそれぞれ点灯させることにより、走行時と、作業装置３による作業時の照明を確保することができる。したがって、照明装置１１の配置スペースを小さくすることができ、また照明装置１１の構成を簡単な構成とすることができる。これらにより本実施形態は、照明装置１１の取り付け作業、及びメンテナンス作業を簡単に行うことができる。
【００２９】
また本実施形態によれば、走行時には第１電球１１ａのみを点灯させ、作業装置３による作業時には第２電球１１ｂのみを点灯させることができる。このように第１電球１１ａと第２電球１１ｂの点灯を制御するようにすれば、照明に要するエネルギー消費を少なくすることができる。すなわち本実施形態は、省エネルギーを実現させることが可能であり、優れた経済性を確保することができる。
【００３０】
なお、上記実施形態では、照明装置１１の第１電球１１ａ及び第２電球１１ｂを、それぞれ１つずつ設けた構成にしてあるが、本発明は、このように構成することには限られず、第１電球１１ａ及び第２電球１１ｂのそれぞれを複数設けても良く、また、いずれか一方の電球のみを複数設けてもよい。
【符号の説明】
【００３１】
１    走行体
２    旋回体
２Ａ  運転室
２Ａ１  操縦席
３    作業装置
４    ブーム
４ａ    側面
４ｂ    取り付け部
５    アーム
６    バケット
７    ブームシリンダ
８    アームシリンダ
９    バケットシリンダ
１０    照明保護カバー
１０ａ  載置部
１１    照明装置
１１ａ  第１電球
１１ｂ  第２電球
１１ｃ  ランプハウス
１１ｄ  ハーネス
１１ｅ  照明窓
１１ｆ  照明取り付け具
１１ｆ１  ボルト部
１１ｇ  ナット
１２    ライトＯＮ／ＯＦＦスイッチ
１３    ライト切り替えスイッチ
１３ａ  第１切り替え位置
１３ｂ  第２切り替え位置
１３ｃ  第３切り替え位置
１３ｄ  接触片
１３ｅ  第１端子
１３ｆ  第２端子
１４    ボルト
１５    ボルト
１８    電源
２０Ａ  照射範囲
２０Ｂ  照射範囲
【図１】
2012219434.tif 000003
【図２】
2012219434.tif 000004
【図３】
2012219434.tif 000005
【図４】
2012219434.tif 000006
【図５】
2012219434.tif 000007
【図６】
2012219434.tif 000008
【図７】
2012219434.tif 000009
【図８】
2012219434.tif 000010